(57)【特許請求の範囲】
【請求項１】
消火水が充填される本体容器と、この本体容器の上端口部に取り付けた容器バルブと、この容器バルブを開閉するための開閉操作レバーと、前記容器バルブに上端部が取り付けられて前記本体容器内の消火水を前記容器バルブに導くサイホン管と、前記容器バルブに接続され該容器バルブの開弁に伴い消火水を放出する消火ホースと、この消火ホースの先端に取り付けられたノズルと、を備えた訓練用水消火器への水充填方法において、
一端が水道の蛇口に接続された接続ホースの他端を前記ノズルに接続し、前記開閉操作レバーにより前記容器バルブを開弁した状態で前記蛇口を開放することにより水道水を本体容器内に充填し、加圧することを特徴とする、訓練用水消火器への水充填方法。
【請求項２】
消火水が充填される本体容器と、この本体容器の上端口部に取り付けた容器バルブと、この容器バルブを開閉するための開閉操作レバーと、前記容器バルブに上端部が取り付けられて前記本体容器内の消火水を前記容器バルブに導くサイホン管と、前記容器バルブに接続され該容器バルブの開弁に伴い消火水を放出する消火ホースと、この消火ホースの先端に取り付けられたノズルと、を備えた訓練用水消火器において、
一端が水道の蛇口に接続可能とされ、他端にホース継手が取り付けられ、該ホース継手の内周に径方向に拡縮変形自在な抜止め部材を設けた接続ホースを備え、
前記ノズルが噴出孔を有するノズル本体の外周に前記抜止め部材に対し係脱可能な係合部を設け、前記ノズル本体の外周に対し前記ホース継手を前記抜止め部材と係合部との係脱作用を介して抜差し自在とし、前記ノズル本体の噴出孔の先端部に、逆止弁を内蔵した圧力注入治具が着脱可能な空気注入口を前記噴出孔と連通状に設けていることを特徴とする、訓練用水消火器。
【発明の詳細な説明】
【技術分野】
【０００１】
本発明は、訓練用水消火器への水充填方法及び訓練用水消火器に関する。
【背景技術】
【０００２】
従来、水道水を利用した訓練用水消火器があり、これは、たとえば、図４に示すように、一般の水消火器と同様に、本体容器４０の上端口部に容器バルブ４１、この容器バルブ４１を開閉操作するための固定レバー４２及び可動レバー４３、先端にノズル４４が取り付けられ容器バルブ４１の開弁に伴い本体容器４０内の消火水を放出する消火ホース４５と、を備えており、そのうえで、本体容器４０の底部寄りに孔部４６を設け、この孔部４６に取水用口金４７を取り付け、取水用口金４７と水道の蛇口４８とをホース４９で接続して、消火液放出訓練に使用するというものがある（例えば、特許文献１参照。）
【０００３】
【特許文献１】特開２００１−５４５８４号公報
【発明の開示】
【発明が解決しようとする課題】
【０００４】
しかるに、上記訓練用水消火器では、一般の水消火器とは異なって、特別に本体容器４０に孔部４６を設け、この孔部４６に取水用口金４７を取り付ける必要があるため加工コスト高となるという問題があった。
【０００５】
本発明は、このような問題を解決するためになされたものであり、その目的とするところは、消火訓練用水消火器の消火ホースの先端に取り付けられるノズルから本体容器内に水道水を充填可能にすることにより従来の上記取水用口金の取り付け加工の省略化、加工コストダウンを図れる訓練用水消火器への水充填方法及び訓練用水消火器を提供することにある。
【課題を解決するための手段】
【０００６】
本発明の訓練用水消火器への水充填方法は、消火水が充填される本体容器と、この本体容器の上端口部に取り付けた容器バルブと、この容器バルブを開閉するための開閉操作レバーと、前記容器バルブに上端部が取り付けられて前記本体容器内の消火水を前記容器バルブに導くサイホン管と、前記容器バルブに接続され該容器バルブの開弁に伴い消火水を放出する消火ホースと、この消火ホースの先端に取り付けられたノズルと、を備えた訓練用水消火器への水充填方法において、一端が水道の蛇口に接続された接続ホースの他端を前記ノズルに接続し、前記開閉操作レバーにより前記容器バルブを開弁した状態で前記蛇口を開放することにより水道水を本体容器内に充填し、加圧することに特徴を有するものである。
【０００７】
本発明の訓練用水消火器は、消火水が充填される本体容器と、この本体容器の上端口部に取り付けた容器バルブと、この容器バルブを開閉するための開閉操作レバーと、前記容器バルブに上端部が取り付けられて前記本体容器内の消火水を前記容器バルブに導くサイホン管と、前記容器バルブに接続され該容器バルブの開弁に伴い消火水を放出する消火ホースと、この消火ホースの先端に取り付けられたノズルと、を備えた訓練用水消火器において、一端が水道の蛇口に接続可能とされ、他端にホース継手が取り付けられ、該ホース継手の内周に径方向に拡縮変形自在な抜止め部材を設けた接続ホースを備え、前記ノズルが噴出孔を有するノズル本体の外周に前記抜止め部材に対し係脱可能な係合部を設け、前記ノズル本体の外周に対し前記ホース継手を前記抜止め部材と係合部との係脱作用を介して抜差し自在とし、前記ノズル本体の噴出孔の先端部に、逆止弁を内蔵した圧力注入治具が着脱可能な空気注入口を前記噴出孔と連通状に設けていることに特徴を有するものである。
【発明の効果】
【０００８】
本発明の訓練用水消火器への水充填方法及び訓練用水消火器によれば、従来の、消火水が充填される本体容器と、この本体容器の上端口部に取り付けた容器バルブと、この容器バルブを開閉するための開閉操作レバーと、容器バルブに接続され、容器バルブの開きに伴い本体容器内の消火水を放出する消火ホースと、この消火ホースの先端に取り付けられたノズルと、を備えた訓練用水消火器において、消火ホース先端のノズルと水道蛇口とを接続ホースで接続するだけの簡単な手段で、水道水をノズルから本体容器内に充填することができる。したがって、前述した従来の本体容器への取水用口金の取り付け加工を省略することができて構造簡単で安価な訓練用水消火器を提供することができる。
【０００９】
本発明の訓練用水消火器によれば、ノズルはノズル本体の外周にホース継手内の抜止め部材に対し係脱可能な係合部を設け、ホース継手を抜止め部材と係合部との係脱作用を介して抜差し自在とし、ノズル本体の噴出孔の先端部に、圧力注入治具が着脱可能な空気注入口を噴出孔と連通状に設けているので、このノズルを消火液放射訓練前の水道水の充填と消火液放射訓練時の水噴出のそれぞれに共用でき、水道水の充填時、消火液放射訓練時、および訓練使用後における水道水の再充填時のいずれにおいてもノズル、消火ホースを付け替える必要が無くて便利である。
【発明を実施するための最良の形態】
【００１０】
本発明の好適な実施形態を図面に基づき説明する。図１は本発明の一実施例を示す訓練用水消火器の縦断面図、図２は図１の訓練用水消火器のノズル及び接続ホースのホース継手の断面図、および圧力注入治具の側面図、図３は図１の訓練用水消火器のノズルにホース継手を接続した状態を示す断面図である。
【００１１】
図１において、本発明に係る訓練用水消火器１はこれの全体的な構成については、従来の標準タイプの蓄圧式消火器の構成と同様である。
すなわち、訓練用水消火器１は、消火水が充填される本体容器２、この本体容器２の上端口部３に密封状に取り付けた容器バルブ４と、この容器バルブ４に上端部が取り付けられて本体容器２内の消火水を容器バルブ４に導くためのサイホン管５、容器バルブ４に接続された消火器ホース６、消火器ホース６の先端６ａに取り付けているノズル７、容器バルブ４に取り付けられてその開閉操作をするための固定レバー８及び可動レバー９からなる開閉操作レバー１０、固定・可動レバー８，９に備えた安全栓１１等によって構成される。
【００１２】
容器バルブ４は、直角の管路１２を有するバルブボディ１３と、バルブボディ１３の管路１２内に上下動自在に装着された弁棒１４と、弁棒１４の下端に一体的に結合され、弁棒１４の上下動に伴い管路１２の一端の入口１２ａと他端の出口１２ｂとの連通状態を開閉するための弁体１５と、弁棒１４の上端部とバルブボディ１３の上端部との間に装着され、弁体１５が管路１２の入口１２ａ端の弁座１６に密着するように、常時、弁体１５を引き上げ付勢するばね部材１７とを備えている。バルブボディ１３の管路１２の入口１２ａ側にサイホン管５の上端部を取り付けている。この容器バルブ４は本体容器２の上端口部３にバルブキャップ１８で締め付け固定される。バルブボディ１３の管路１２の出口１２ｂには消火器ホース６の後端部６ｂが継手１９を介して接続されている。
【００１３】
本発明は、上記構造の訓練用水消火器１において、水道の蛇口（図示せず）とノズル７とを接続ホース２０（図２参照）で接続して水道水をノズル７から本体容器２内に充填することに特徴を有する。また、ノズル７は接続ホース２０との接続・離脱を簡単且つ迅速に行えるように、ノズル７を本来の消火水噴出機能と、接続ホース２０を抜止め状に接続可能にし且つ必要に応じて空気注入を可能にする接続具とを兼備できる構造にすることに特徴を有する。
【００１４】
図２、図３に示すように、接続ホース２０には、例えば、市販の家庭用ホースを使用する。すなわち、一端が水道の蛇口に接続される接続ホース２０の他端にはクイック式のホース継手２１が取り付けられる。ホース継手２１は、接続ホース２０の他端部に挿入される通水口２２を有するホース連結筒２３と、ホース連結筒２３の外周の雄ねじ２４に基部２６ｂ内周の雌ねじ２５を螺合する締付リング２６と、締付リング２６の先端部２６ａと通水口２２との間に介在され接続ホース２０の他端部の外周を押さえる弾性を有するホース挟持筒２７と、基端部２８ｂがホース連結筒２３の基端部２３ｂに内嵌され且つ先端部２８ａに数個設けた各保持孔３０に径方向に拡縮変形自在な抜止め部材２９を装着した抜止め部材保持筒２８と、抜止め部材保持筒２８にスプリング３１を介して軸方向に摺動可能に且つ抜止め状に外嵌された摺動筒３２とを備える。摺動筒３２の内周にはこれの軸方向への摺動に伴い抜止め部材２９を径方向内方へ押圧する押圧面３２ａと、抜止め部材２９の径方向外方への後退を許容する退避面３２ｂとを有する。
【００１５】
一方、消火器ホース６の先端のノズル７は、消火水の直線流を拡散させて噴出する噴出孔３３を有するノズル本体７ａの外周に対しホース継手２１の抜止め部材保持筒２８を抜差し可能に形成すると共に、ノズル本体７ａの外周に抜止め部材２９が係脱可能な係合部３４を設け、且つ、ノズル本体７ａの噴出孔３３の先端部に、必要に応じ圧縮空気を充填して昇圧するときに使用する逆止弁内蔵の圧力注入治具３５が着脱可能に装着される空気注入口３８を噴出孔３３と連通状に設けている。空気注入口３８への圧力注入治具３５の着脱は空気注入口３８の内周につけた雌ねじ３６に対し圧力注入治具３５の基端部外周につけた雄ねじ３７を締めたり緩めたりすることにより行われる。ノズル本体７ａの外周における係合部３４より先端側にはシールリング３９を嵌め込んでいる。
【００１６】
次に、上記訓練用水消火器１に上記接続ホース２０を用いて水道水を充填する方法について説明する。
先ず、一端が水道の蛇口に接続された接続ホース２０の他端のホース継手２１をノズル７に接続する。このとき、ホース継手２１の抜止め部材保持筒２８をノズル７に差し込むと、図３に示すように、抜止め部材２９が係合部３４に係止されるとともに、摺動筒３２の押圧面３２ａで抜止め部材２９が径方向内方へ押圧されて係合部３４に抜止め部材２９が係止されてホース継手２１がノズル７に抜止め状態に接続される。また、ノズル７の外周面と抜止め部材保持筒２８の内周面との間の隙間がシールリング３９によりシールされる。
次いで、開閉操作レバー１０を握って容器バルブ４を開弁した状態で水道蛇口を開放すると、水道水及び水圧は接続ホース２０、ノズル７、消火器ホース６、容器バルブ４、及びサイホン管５を介して本体容器２内に充填される。
【００１７】
水道水の充填後、開閉操作レバー１０の握りを解除して容器バルブ４を閉弁し、接続ホース２０のホース継手２１をノズル７から取り外す。この取り外しに際しては、摺動筒３２をスプリング３１に抗して接続ホース６側へ軸方向摺動させると、抜止め部材２９が摺動筒３２の押圧面３２ａに押されることなく退避面３２ｂに後退することができて抜止め部材２９と係合部３４との係合は解除されホース継手２１をノズル７から取り外すことができる。
【００１８】
ホース継手２１の取り外し後は、必要に応じて、ノズル７の空気注入口３８に圧力注入治具３５をねじ込み、開閉操作レバー１０を握って容器バルブ４を開弁した状態で、この圧力注入治具３５から圧縮空気を空気入れやエアポンプ等で注入すると、圧縮空気はノズル７、消火器ホース６、容器バルブ４、及びサイホン管５を介して本体容器２内に充填し、本体容器２内を昇圧することができる。
【００１９】
このように本体容器２に水道水を充填した後は、この訓練用水消火器１を消火液放射訓練に使用することができる。放射訓練使用後は、再度、接続ホース２０を使用することで水道水の再充填を可能にし、また必要に応じ圧力注入治具３５を使用することで空気の充填を可能にする。
【図面の簡単な説明】
【００２０】
【図１】本発明の一実施例を示す訓練用水消火器の縦断面図である。
【図２】図１の訓練用水消火器のノズル及び接続ホースのホース継手の断面図、および圧力注入治具の側面図である。
【図３】図１の訓練用水消火器のノズルにホース継手を接続した状態を示す断面図である。
【図４】従来例の訓練用水消火器を水道の蛇口に接続した状態で示す説明図である。
【符号の説明】
【００２１】
１  訓練用水消火器
２  本体容器
３  上端口部
４  容器バルブ
６  消火器ホース
７  ノズル
１０  開閉操作レバー
２０  接続ホース
２１  ホース継手
２９  抜止め部材
３３  噴出孔
３４  係合部
３５  圧力注入治具
３８  空気注入口
【図１】
0004610436.tif 000002
【図２】
0004610436.tif 000003
【図３】
0004610436.tif 000004
【図４】
0004610436.tif 000005